(57)【要約】【課題】単一の通信端末装置に２つの発信番号が付与された場合において、文字等の入力処理における利便性を向上すること。【解決手段】通信端末装置１１０は、キャラクタの入力を支援するための第１及び第２の入力支援用データベース１１２，１１３と、第１の発信番号又は当該第１の発信番号と異なる第２の発信番号の発信番号情報を入力する発信番号入力手段１１１と、前記発信番号入力手段１１１により入力された前記発信番号情報に基づいて前記第１又は第２の入力支援用データベース１１２，１１３を切り替えるデータベース切替手段１１４と、前記データベース切替手段１１４が切り替えた入力支援用データベースを利用してキャラクタの入力処理を行うキャラクタ入力手段１１５と、を具備したものである。【選択図】図２
2010141562.tif 000002
【特許請求の範囲】
【請求項１】
キャラクタの入力を支援するための第１及び第２の入力支援用データベースと、
第１の発信番号又は当該第１の発信番号と異なる第２の発信番号の発信番号情報を入力する発信番号入力手段と、
前記発信番号入力手段により入力された前記発信番号情報に基づいて前記第１又は第２の入力支援用データベースを切り替えるデータベース切替手段と、
前記データベース切替手段が切り替えた入力支援用データベースを利用してキャラクタの入力処理を行うキャラクタ入力手段と、を具備したことを特徴とする通信端末装置。
【請求項２】
キャラクタの入力を支援するための複数の入力支援用データベースと、
各入力支援用データベースに対応したそれぞれのモード及び複数の入力支援用データベースの組み合わせに対応したモードが予め定められ、そのモード情報を入力するモード情報入力手段と、
前記モード情報入力手段により入力された前記モード情報に基づいて前記入力支援用データベースを切り替えるデータベース切替手段と、
前記データベース切替手段が切り替えた１つ又は複数の入力支援用データベースを利用してキャラクタの入力処理を行うキャラクタ入力手段と、を具備したことを特徴とする通信端末装置。
【請求項３】
前記モード情報は、各モードを識別するサービスコードと、第１の発信番号又は当該第１の発信番号と異なる第２の発信番号とを含んで構成されることを特徴とする請求項２に記載の通信端末装置。
【請求項４】
前記複数の入力支援用データベースは、各発信番号において専用に用いられる個別データベースと、いずれの発信番号においても利用できる共通データベースとを含んで構成されることを特徴とする請求項３に記載の通信端末装置。
【請求項５】
通信端末装置と、通信網上で当該通信端末装置の発信番号制御を行う通信制御装置とを備えた通信制御システムであって、
前記通信端末装置は、
キャラクタの入力を支援するための第１及び第２の入力支援用データベースと、
第１の発信番号又は当該第１の発信番号と異なる第２の発信番号の発信番号情報を入力する発信番号入力手段と、
前記発信番号入力手段により入力された前記発信番号情報に基づいて前記第１又は第２の入力支援用データベースを切り替えるデータベース切替手段と、
前記データベース切替手段が切り替えた入力支援用データベースを利用してキャラクタの入力処理を行うキャラクタ入力手段と、
前記第１又は第２の発信番号により前記通信制御装置に接続し、前記発信番号情報と共に前記キャラクタ入力手段で入力されたキャラクタ情報を前記通信制御装置に送信する送信手段と、を具備し、
前記通信制御装置は、
前記第１又は第２の発信番号で接続してきた前記通信端末装置から前記発信番号情報及び前記キャラクタ情報を受信し、前記第１又は第２の発信番号を用いて前記キャラクタ情報を通信網上に送出する送出手段を具備したことを特徴とする通信制御システム。
【請求項６】
通信端末装置と、通信網上で当該通信端末装置の発信番号制御を行う通信制御装置とを備えた通信制御システムであって、
前記通信端末装置は、
キャラクタの入力を支援するための複数の入力支援用データベースと、
各入力支援用データベースに対応したそれぞれのモード及び複数の入力支援用データベースの組み合わせに対応したモードが予め定められ、そのモード情報を入力するモード情報入力手段と、
前記モード情報入力手段により入力された前記モード情報に基づいて前記入力支援用データベースを切り替えるデータベース切替手段と、
前記データベース切替手段が切り替えた１つ又は複数の入力支援用データベースを利用してキャラクタの入力処理を行うキャラクタ入力手段と、
前記第１又は第２の発信番号により前記通信制御装置に接続し、前記モード情報と共に前記キャラクタ入力手段で入力されたキャラクタ情報を前記通信制御装置に送信する送信手段と、を具備し、
前記通信制御装置は、
前記第１又は第２の発信番号で接続してきた前記通信端末装置から前記モード情報及び前記キャラクタ情報を受信し、前記第１又は第２の発信番号を用いて前記キャラクタ情報を通信網上に送出する送出手段を具備したことを特徴とする通信制御システム。
【請求項７】
キャラクタの入力を支援するための第１及び第２の入力支援用データベースを備えた通信端末装置におけるキャラクタの入力方法であって、
第１の発信番号又は当該第１の発信番号と異なる第２の発信番号の発信番号情報を入力するステップと、
入力された前記発信番号情報に基づいて前記第１又は第２の入力支援用データベースを切り替えるステップと、
前記切り替えられた入力支援用データベースを利用してキャラクタの入力処理を行うステップと、を具備したことを特徴とする入力方法。
【請求項８】
キャラクタの入力を支援するための複数の入力支援用データベースを備えた通信端末装置におけるキャラクタの入力方法であって、
各入力支援用データベースに対応したそれぞれのモード及び複数の入力支援用データベースの組み合わせに対応したモードが予め定められ、そのモード情報を入力するステップと、
入力された前記モード情報に基づいて前記入力支援用データベースを切り替えるステップと、
切り替えられた１つ又は複数の入力支援用データベースを利用してキャラクタの入力処理を行うステップと、を具備したことを特徴とする入力方法。
【発明の詳細な説明】
【技術分野】
【０００１】
本発明は、複数の発信番号を有する通信端末装置及びこの通信端末装置の発信番号を制御する通信制御装置並びにこれらを備えた通信制御システムに関する。
【背景技術】
【０００２】
近年、携帯電話機等の通信端末装置に２つの発信番号及びこの２つの発信番号に対応する２つのメールアドレスを付与し、これら２つの発信番号及びメールアドレスを利用可能な新しいサービス（２ｉｎ１サービス）が展開されている（非特許文献１参照）。この２ｉｎ１サービスでは、基本番号として第１の発信番号が付与され、付加番号として第１の発信番号と異なる第２の発信番号が付与される。例えば、第１の発信番号を仕事用番号とし、第２の発信番号をプライベート番号とすることにより、単一の携帯電話機で用途に応じて２つの発信番号を使い分けることができる。
【非特許文献１】２ｉｎ１サービスのシステム開発：ＮＴＴドコモ  テクニカル・ジャーナル  ｖｏｌ  １５Ｎｏ．３，Ｐ１１−１９
【発明の開示】
【発明が解決しようとする課題】
【０００３】
ところで、通信端末装置において、例えば、メール作成等のために文字入力を行う際に、入力された未確定文字に基づいて予測変換候補文字を表示する予測変換機能を利用して効率的な文字入力処理が行われることが多い。
しかしながら、上記２ｉｎ１サービスを利用する際には、通信端末装置に割り当てられた２つの発信番号に対して文字入力支援用のデータベースが１つのみ備えられているため、上記第１及び第２の発信番号を用途に応じて明確に使い分けたい場合でも、各発信番号に応じた予測変換候補文字の優先表示を行うことができず、予測変換機能等の文字入力支援機能が使い勝手の悪いものとなってしまう。
【０００４】
本発明はかかる点に鑑みてなされたものであり、単一の通信端末装置に２つの発信番号が付与された場合において、文字等の入力処理における利便性を向上することができる通信端末装置、通信制御システム及び通信制御システムを提供することを目的とする。
【課題を解決するための手段】
【０００５】
本発明の通信端末装置は、キャラクタの入力を支援するための第１及び第２の入力支援用データベースと、第１の発信番号又は当該第１の発信番号と異なる第２の発信番号の発信番号情報を入力する発信番号入力手段と、前記発信番号入力手段により入力された前記発信番号情報に基づいて前記第１又は第２の入力支援用データベースを切り替えるデータベース切替手段と、前記データベース切替手段が切り替えた入力支援用データベースを利用してキャラクタの入力処理を行うキャラクタ入力手段と、を具備したことを特徴とする。
【０００６】
この構成によれば、入力された発信番号情報に基づいて第１又は第２の入力支援用データベースを切り替え、切り替えた入力支援用データベースを使用してキャラクタの入力処理を行うので、単一の通信端末装置に２つの発信番号が付与された場合において、キャラクタ入力処理における利便性を向上することができる。例えば、第１及び第２の発信番号を仕事用番号とプライベート用番号とで明確に使い分ける場合でも、これら用途に応じた効率的なキャラクタ入力処理が可能となる。ここで、キャラクタとは、文字、数字、記号、その他データのいずれか又はこれらの任意の組み合わせを指すものである。
【０００７】
本発明の通信端末装置は、キャラクタの入力を支援するための複数の入力支援用データベースと、各入力支援用データベースに対応したそれぞれのモード及び複数の入力支援用データベースの組み合わせに対応したモードが予め定められ、そのモード情報を入力するモード情報入力手段と、前記モード情報入力手段により入力された前記モード情報に基づいて前記入力支援用データベースを切り替えるデータベース切替手段と、前記データベース切替手段が切り替えた１つ又は複数の入力支援用データベースを利用してキャラクタの入力処理を行うキャラクタ入力手段と、を具備したことを特徴とする。
【０００８】
この構成によれば、入力されたモード情報に基づいて１つ又は複数の入力支援用データベースを切り替え、切り替えた入力支援用データベースを利用してキャラクタの入力処理を行うので、利用用途に応じて複数のモードを設定すれば、単一の通信端末装置において各モードに応じたキャラクタ入力処理を行うことができる。
【０００９】
上記通信端末装置において、前記モード情報は、各モードを識別するサービスコードと、第１の発信番号又は当該第１の発信番号と異なる第２の発信番号とを含んで構成されることが好ましい。
【００１０】
この場合、サービスコードに対して第１又は第２の発信番号と１つ又は複数の入力支援用データベースとを組み合わせて複数のモード情報を構成すれば、単一の通信端末装置において、これら入力支援用データベースをより多くの利用用途に対応したキャラクタ入力処理に利用することができる。
【００１１】
上記通信端末装置において、前記複数の入力支援用データベースは、各発信番号において専用に用いられる個別データベースと、いずれの発信番号においても利用できる共通データベースとを含んで構成されることが好ましい。
【００１２】
この場合、複数の入力支援用データベースが個別データベースと共通データベースとを含んで構成されるので、個別データベースにより利用用途を明確に区別したキャラクタ入力を行うことができると共に、共通データベースにより利用用途を区別しないキャラクタ入力を行うことができる。
【００１３】
本発明の通信制御システムは、通信端末装置と、通信網上で当該通信端末装置の発信番号制御を行う通信制御装置とを備えた通信制御システムであって、前記通信端末装置は、キャラクタの入力を支援するための第１及び第２の入力支援用データベースと、第１の発信番号又は当該第１の発信番号と異なる第２の発信番号の発信番号情報を入力する発信番号入力手段と、前記発信番号入力手段により入力された前記発信番号情報に基づいて前記第１又は第２の入力支援用データベースを切り替えるデータベース切替手段と、前記データベース切替手段が切り替えた入力支援用データベースを利用してキャラクタの入力処理を行うキャラクタ入力手段と、前記第１又は第２の発信番号により前記通信制御装置に接続し、前記発信番号情報と共に前記キャラクタ入力手段で入力されたキャラクタ情報を前記通信制御装置に送信する送信手段と、を具備し、前記通信制御装置は、前記第１又は第２の発信番号で接続してきた前記通信端末装置から前記発信番号情報及び前記キャラクタ情報を受信し、前記第１又は第２の発信番号を用いて前記キャラクタ情報を通信網上に送出する送出手段を具備したことを特徴とする。
【００１４】
本発明の通信制御システムは、通信端末装置と、通信網上で当該通信端末装置の発信番号制御を行う通信制御装置とを備えた通信制御システムであって、前記通信端末装置は、キャラクタの入力を支援するための複数の入力支援用データベースと、各入力支援用データベースに対応したそれぞれのモード及び複数の入力支援用データベースの組み合わせに対応したモードが予め定められ、そのモード情報を入力するモード情報入力手段と、前記モード情報入力手段により入力された前記モード情報に基づいて前記入力支援用データベースを切り替えるデータベース切替手段と、前記データベース切替手段が切り替えた１つ又は複数の入力支援用データベースを利用してキャラクタの入力処理を行うキャラクタ入力手段と、前記第１又は第２の発信番号により前記通信制御装置に接続し、前記モード情報と共に前記キャラクタ入力手段で入力されたキャラクタ情報を前記通信制御装置に送信する送信手段と、を具備し、前記通信制御装置は、前記第１又は第２の発信番号で接続してきた前記通信端末装置から前記モード情報及び前記キャラクタ情報を受信し、前記第１又は第２の発信番号を用いて前記キャラクタ情報を通信網上に送出する送出手段を具備したことを特徴とする。
【００１５】
本発明の入力方法は、キャラクタの入力を支援するための第１及び第２の入力支援用データベースを備えた通信端末装置におけるキャラクタの入力方法であって、第１の発信番号又は当該第１の発信番号と異なる第２の発信番号の発信番号情報を入力するステップと、入力された前記発信番号情報に基づいて前記第１又は第２の入力支援用データベースを切り替えるステップと、前記切り替えられた入力支援用データベースを利用してキャラクタの入力処理を行うステップと、を具備したことを特徴とする。
【００１６】
本発明の入力方法は、キャラクタの入力を支援するための複数の入力支援用データベースを備えた通信端末装置におけるキャラクタの入力方法であって、各入力支援用データベースに対応したそれぞれのモード及び複数の入力支援用データベースの組み合わせに対応したモードが予め定められ、そのモード情報を入力するステップと、入力された前記モード情報に基づいて前記入力支援用データベースを切り替えるステップと、切り替えられた１つ又は複数の入力支援用データベースを利用してキャラクタの入力処理を行うステップと、を具備したことを特徴とする。
【発明の効果】
【００１７】
本発明によれば、単一の通信端末装置に２つの発信番号が付与された場合において、文字等のキャラクタ入力処理における利便性を向上することができる。
【発明を実施するための最良の形態】
【００１８】
以下、添付図面を参照して、本発明の実施の形態に係る通信制御システムについて詳細に説明する。
【００１９】
（第１の実施の形態）
図１は、本発明の実施の形態１に係る通信制御システムの概略構成を示す図である。図１に示す通信制御システム１００は、携帯電話機等の通信端末装置１１０と、ネットワークを介して通信端末装置１１０と接続する通信制御装置１２０と、ネットワークを介して通信制御装置１２０と接続する通信網センタ１３０と、を備えている。本実施の形態は、単一の携帯電話機に複数（例えば、２つ）の発信番号を付与して、各発信番号に対して電話やメール送受信等機能が割り当てられたいわゆる２ｉｎ１サービスを利用する場合であって、各発信番号に対応する利用用途に応じたキャラクタ入力処理を区別して行うようなビジネスモデルに適用可能である。ここで、各発信番号に対応する利用用途としては、例えば、第１の発信番号をビジネス（仕事）用番号とし、第２の発信番号をプライベート用番号とするような場合が考えられる。なお、図１に示す通信制御システム１００では、説明を簡単にするために１つの通信端末装置１１０を示しているが、通信端末装置１１０の数はこれに限定されるものではない。以下では、通信端末装置１１０を携帯電話機とし、この携帯電話機に２つの発信番号が割り当てられた場合を例に挙げて説明する。
【００２０】
通信網センタ１３０は、上記２ｉｎ１サービスやインターネット接続サービスを提供するサーバ機能を有すると共にゲートウェイ機能を担っており、具体的には、メール送受信機能、メール蓄積機能、契約顧客管理機能、情報提供者（Information Provider）管理機能、及び情報料課金機能を有する。
【００２１】
ネットワークには、通常の移動通信網に加えて移動パケット通信網や、インターネット、ＬＡＮ（Local  Area  Network）やＷＡＮ（Wide  Area  Network）等のネットワークも含まれる。
【００２２】
図２は、図１に示す携帯電話機１１０の概略構成を示すブロック図である。図２に示す携帯電話機１１０は、図３に示すように第１及び第２の発信番号（電話番号）を有する携帯電話機１１０であり、発信番号情報を入力する発信番号入力部１１１と、第１の発信番号に対応する第１の入力支援用データベース（第１ＤＢ）１１２と、第２の発信番号に対応する第２の入力支援用データベース（第２ＤＢ）１１３と、これら第１ＤＢ１１２，第２ＤＢ１１３を切り替えるデータベース切替部１１４とを、主に備えている。また、携帯電話機１１０は、キャラクタ情報等の種々のデータを入力するキャラクタ入力部１１５と、入力されたキャラクタ情報等の種々のデータを表示する表示部１１６と、通信制御装置１２０に発信番号情報及びキャラクタ情報の送受信（メール送受信等）を行う通信制御部１１７と、を備えている。ここで、キャラクタ情報とは、文字、数字、記号、その他データのいずれか又はこれらの任意の組み合わせにより構成される情報を指すものをいう。なお、図２に示す構成は、本発明を説明するために簡略化したものであり、携帯電話機１１０本来の機能を実現するその他の構成要素は備えているものとする。
【００２３】
この携帯電話機１１０は、図３に示すように、例えば、第１の発信番号（090-1234-5678）と、この第１の発信番号と異なる第２の発信番号(090-1234-5679)とを有している。例えば、第１の発信番号は、一般の携帯電話機１１０の契約時に基本番号として付与され、第２の発信番号は、２ｉｎ１サービスの利用契約時に付加番号として付与される。また、携帯電話機１１０は、第１の発信番号に対応する第１のメールアドレスと、第２の発信番号に対応する第２のメールアドレスとを有している。従って、単一の携帯電話機１１０において、第１又は第２のメールアドレスによりメール送受信可能に構成されると共に、第１又は第２の発信番号によりショートメッセージを送受信可能に構成されている。ここで、ショートメッセージとは、携帯電話機１１０同士で短い文字メッセージを送受信するものである。本実施の形態では、第１及び第２の電話番号を用いてショートメッセージを送受信する場合を例に説明するが、ショートメッセージに限定されるものではない。
【００２４】
発信番号入力部１１１は、上記第１の発信番号及び第２の発信番号の中から所望の発信番号の発信番号情報を入力する。データベース切替部１１４は、発信番号入力部１１１が入力した発信番号情報に応じて、当該発信番号情報に対応する第１又は第２の入力支援用ＤＢ１１２，１１３を切り替える。ここでは、データベース切替部１１４は、発信番号情報として第１の発信番号情報が入力されると第１の入力支援用ＤＢに切り替える一方、発信番号情報として第２の発信番号情報が入力されると第２の入力支援用ＤＢに切り替える。これにより、各発信番号に対応する用途に応じてキャラクタ入力処理を区別して行うことができる。
【００２５】
第１及び第２の入力支援用ＤＢ１１２，１１３は、キャラクタの入力を支援するためのデータベースであり、例えば、入力された文字情報から予測される予測変換候補文字データが記憶されている。第１及び第２の入力支援用ＤＢ１１２，１１３は、上記第１及び第２の発信番号１１２，１１３に対応付けられており、入力された発信番号下におけるキャラクタ情報の入力履歴に基づいて、各入力支援用ＤＢが更新される。すなわち、第１の発信番号が選択された場合、キャラクタ情報の入力履歴により第１の入力支援用ＤＢ１１２のみが更新される一方、第２の発信番号が選択された場合、キャラクタ情報の入力履歴により第２の入力支援用ＤＢ１１３のみが更新される。従って、同一の文字が入力された場合でも、例えば、ビジネス用として第１の発信番号を使えば、第１ＤＢ１１２にはビジネス活動に関連したキャラクタが利用頻度の高い予測変換候補データとして更新されていく。一方、プライベート用として第２の発信番号を使えば、第２ＤＢ１１３には上記ビジネス環境とは異なる、趣味等のプライベート活動に関連したキャラクタが予測変換候補データとして更新されていく。そのため、各利用用途に応じたキャラクタ情報が記憶されているので、メール作成等のキャラクタ入力処理を利用用途に応じて効率的に行うことができる。
【００２６】
図４は、第１及び第２の入力支援用ＤＢ１１２，１１３に格納されたデータの模式図であり、同図（ａ）は第１の入力支援用ＤＢ１１２に格納された予測変換候補データの一例を示し、同図（ｂ）は第２の入力支援用ＤＢ１１３に格納された予測変換候補データの一例を示している。図４（ａ）に示すように、第１の入力支援用ＤＢ１１２では、文字「けい」に対して、「経済」、「経営」、「契約」が予測変換候補の上位データとして格納されている。第１の発信番号の入力によりデータベースが第１の入力支援用ＤＢ１１２に切り替えられた状態で、文字「けい」が入力されると、これら予測変換候補文字「経済」、「経営」、「契約」が表示部１１６に優先的に表示され、これら予測変換候補文字を利用してキャラクタ入力を効率的に行うことできる。一方、図４（ｂ）に示すように、第２の入力支援用ＤＢ１１３には、上記と同一文字「けい」に対して、「競馬」、「恵子」、「稽古」が予測変換候補の上位データとして格納されている。第２の発信番号の入力によりデータベースが第２の入力支援用ＤＢ１１３に切り替えられた状態で、文字「けい」が入力されると、これら予測変換候補文字「競馬」、「恵子」、「稽古」が表示部１１６に優先的に表示され、これら予測変換候補文字を利用して文字入力を効率的に行うことできる。また、図４では、入力された文字から予測変換候補データを用いて説明したが、第１及び第２の入力支援用ＤＢ１１２，１１３内のキャラクタデータの構成はこれに限定されるものではなく、キャラクタ入力を支援するデータであれば、例えば、一般的な文字入力方法に供される、かな文字変換データを含むものでもよい。
【００２７】
図５は、通信制御装置１２０の概略構成を示すブロック図である。図５に示すように、通信制御装置１２０は、受信部１２１と、発信番号制御部１２２と、番号情報データベース（ＤＢ）１２３と、キャラクタ情報格納部１２４と、送信部１２５と、を主に備えている。なお、図５に示す構成は、本発明を説明するために簡略化したものであり、通信制御装置１２０は、携帯電話機１１０のユーザの契約情報、発信番号情報及び位置情報等のデータを保持し、通信制御装置１２０本来の機能（在圏確認処理機能、呼接続処理機能等）を実現するその他の構成要素は備えているものとする。
【００２８】
受信部１２１は、発信要求元の携帯電話機１１０と接続すると、当該携帯電話機１１０から発信番号情報及びキャラクタ情報を受け取り、発信番号情報を発信番号制御部１２２に送ると共に、キャラクタ情報をキャラクタ情報格納部１２４に送る。キャラクタ情報は、キャラクタ情報格納部１２４に一旦格納され、送信部１２５に送られる。番号情報ＤＢ１２３には、例えば、接続された携帯電話機１１０の接続用発信番号に対して、当該携帯電話機１１０に付与された複数の発信番号が対応されて記憶されている。例えば、接続用発信番号が第１の発信番号で、サービスを利用する発信番号（利用発信番号）が第２の発信番号の場合、発信番号制御部１２２は、番号情報ＤＢ１２３内の番号情報に基づいて、接続用発信番号と利用発信番号とが対応しているか否かを確認し、対応する場合には利用発信番号を第２の発信番号に切り替える。送信部１２５は、発信番号制御部１２２から受け取った発信番号（利用発信番号）情報と、キャラクタ情報格納部１２４から受け取ったキャラクタ情報とをネットワークを介して通信網センタ１３０に送出する。
【００２９】
次に、図６を用いて、本実施の形態に係る通信制御システム１００の通信制御処理について説明する。図６は、通信制御システム１００の通信制御処理を示すフロー図である。ここでは、携帯電話機１１０において、図３に示す第１の発信番号（090-1234-5678）を接続用発信番号とし、第２の発信番号(090-1234-5679)を利用する場合を例に説明する。
【００３０】
まず、携帯電話機１１０では、第１又は第２の発信番号の中から利用発信番号（第２の発信番号）を決め、その発信番号情報を入力する（ステップＳＴ６０１）。発信番号情報が入力されると、入力された発信番号情報に対応して第１又は第２の入力支援用ＤＢ１１２，１１３が切り替えられ（ステップＳＴ６０２）、この入力支援用ＤＢを利用して、キャラクタの入力処理が行われる（ステップＳＴ６０３）。ここでは、第２の発信番号情報が入力されると、第２の発信番号に対応する第２の入力支援用ＤＢ１１２に切り替えられ、この第２の入力支援用ＤＢ１１３を利用してキャラクタの入力処理が可能となり、ショートメッセージ等が作成される。
【００３１】
キャラクタの入力処理が終わると、携帯電話機１１０から第１の発信番号により通信制御装置１２０に接続要求が送られ（ステップＳＴ６０４）、通信制御装置１２０で接続処理及び在圏確認処理が行われる（ステップＳＴ６０５）。通信制御装置１２０からの接続処理応答を受けると、ステップＳＴ６０１で入力した発信番号情報（第２の発信番号情報）が通信制御装置１２０に送られ（ステップＳＴ６０６）、通信制御装置１２０で発信番号情報が受信される（ステップＳＴ６０７）。次に、通信制御装置１２０からキャラクタ情報の送信指示を受けると、ステップＳＴ６０３で入力されたキャラクタ情報（ショートメッセージ等）が通信制御装置１２０に送られ（ステップＳＴ６０８）、通信制御装置１２０でキャラクタ情報が受け取られる（ステップＳＴ６０９）。そして、ネットワークを介して、発信番号情報（第２の発信番号情報）及びキャラクタ情報が通信網センタ１３０に送られる。
【００３２】
このように、本実施の形態では、入力された発信番号情報に基づいて第１又は第２の入力支援用データベース１１２，１１３が切り替えられ、切り替えられた入力支援用データベース１１２，１１３を利用してキャラクタの入力処理を行うので、単一の通信端末装置に２つの発信番号が付与された場合において、キャラクタ入力処理における利便性を向上することができる。例えば、第１及び第２の発信番号を仕事用番号とプライベート用番号とで明確に使い分ける場合でも、これら用途に応じた効率的なキャラクタ入力処理が可能となる。
【００３３】
なお、本実施の形態では、単一の携帯電話機１１０に２つの発信番号が付与された場合を例に説明したが、３つ以上の発信番号が付与される構成でも適用可能である。また、ショートメッセージを例に説明したが、ショートメッセージ以外のメール（例えばi−モード（登録商標）メールやＷｅｂメールなどでもよい。さらに、通信制御装置１２０への接続及び呼制御処理等に第１の発信番号を利用した場合を説明したが、第２の発信番号を利用することも可能である。
【００３４】
（第２の実施の形態）
上記第１の実施の形態では第１又は第２の発信番号を選択することにより第１又は第２の入力支援用ＤＢを切り替える場合を例に説明したが、第２の実施の形態に係る通信制御システムでは、複数のモードの選択により複数の入力支援用ＤＢを切り替えるものである。なお、第２の実施の形態において、上記第１の実施の形態と同一の構成については、同一の番号を付しその説明を省略する。
【００３５】
図７は、第２の実施の形態に係る携帯電話機７００の概略構成を示すブロック図である。図７に示す携帯電話機７００は、図２に示す発信番号入力部１１１に替えて、モード入力部７０１が追加され、第１及び第２ＤＢ１１２，１１３に加えて共通の入力支援用ＤＢ（共通ＤＢ）７０２が追加されている。
【００３６】
第１及び第２ＤＢ１１２，１１３は、各発信番号において専用に用いられる個別データベースとして機能し、共通ＤＢ７０２は、いずれの発信番号においても利用可能な共通データベースとして機能する。具体的には、第１ＤＢ１１２は第１の発信番号において専用に用いられ、第２ＤＢ１１３は第２の発信番号において専用に用いられる。また、共通ＤＢ７０２は、第１及び第２の発信番号のいずれの発信番号においても利用される。このため、個別データベースにより利用用途を明確に区別したキャラクタ入力を行うことができると共に、共通データベースにより利用用途を区別しないキャラクタ入力を行うことができる。
【００３７】
図８は、第１、第２及び共通ＤＢ１１２，１１３，７０２に格納されたデータの模式図であり、これらＤＢに格納された予測変換候補データの一例を示している。同図（ａ）及び（ｂ）に示す予測変換データは、図４（ａ）及び（ｂ）に示す予測変換候補データと同一のものである。図８（ｃ）は、共通ＤＢ７０２に格納された予測変換候補データを示しており、第１及び第２ＤＢ１１２，１１３の両データベースに格納された予測変換候補データが格納されている。
【００３８】
この携帯電話機７００には、各入力支援用ＤＢに対応したそれぞれのモードと、複数の入力支援用ＤＢの任意の組み合わせに対応したモードとからなる複数のモードが予め定められている。モード入力部７０１は、これら複数のモードから所望のモードのモード情報（サービスコード）を入力する。
【００３９】
図９は、モードを説明するための模式図である。図９に示すように、モードは、第１モード、第２モード、第３モード及び第４モードの４つのモードから構成されており、第１モードは第１ＤＢ１１２に、第２モードは第２ＤＢ１１３にそれぞれ対応している。第３モードは第１及び共通ＤＢ１１２，７０２に、第４モードは第２及び共通ＤＢ１１３，７０２に対応している。また、各モードには、当該各モードを識別するためのサービスコードと、第１又は第２の発信番号とが対応付けられており、モード入力部７０１のモード情報の入力は、このサービスコードの入力により行われる。図９においては、第１モードにはサービスコード「Ａ」が紐づけられ、サービスコード「Ａ」を選択すると、第１の発信番号及び第１ＤＢ１１２が選択される。第２モードにはサービスコード「Ｂ」が紐づけられ、サービスコード「Ｂ」を選択すると、第２の発信番号及び第２ＤＢ１１３が選択される。第３モードにはサービスコード「Ｃ」が紐づけられ、サービスコード「Ｃ」を選択すると第１の発信番号並びに第１ＤＢ１１２及び共通ＤＢ７０２が選択される。第４モードにはサービスコード「Ｄ」が紐づけられ、サービスコード「Ｄ」を選択すると、第２の発信番号並びに第２ＤＢ１１３及び共通ＤＢ７０２が選択される。このように、サービスコードに対して第１又は第２の発信番号と１つ又は複数の入力支援用データベースとを組み合わせて複数のモード情報を構成すれば、これら入力支援用ＤＢが、より多くの利用用途に対応したキャラクタ入力処理において利用可能となる。なお、各入力支援用ＤＢの更新は、選択されたモード下での入力履歴により当該モードに紐づけされた入力支援用ＤＢのみで行われる。すなわち、第１モードが選択された状況では第１ＤＢ１１２のみが更新され、第２モードが選択された状況では第２ＤＢ１１３のみが更新される。一方、第３モードが選択された状況では第１及び共通ＤＢ１１２，７０２が更新され、第４モードが選択された状況では第２及び共通ＤＢ１１３，７０２が更新される。なお、図９では、説明を簡単にするために４つのモードを例に挙げて説明したが、モード数はこれに限定されず任意のモード数を設定することが可能である。
【００４０】
ここで、モード入力部７０１でのサービスコードの入力は、例えば、httpのヘッダに入れ込むことにより行うことが可能である。以下では、サービスコード「Ｂ」をhttpのヘッダに入れた場合を示している。
HTTP/1.1  200
Date:  Wed,  05  Sep  2001  06:06:19  GMT
Service  Code:  B
なお、第１の発信番号から発信する場合はサービスコードを付与しない場合もある。この場合はhttpのヘッダにコードの値をＮＵＬＬ或いはコードのフィールドをなくしてもよい。
【００４１】
このように構成された携帯電話機７００では、モード入力部７０１で所望のモードに対応するサービスコードが入力されると、入力されたサービスコードがデータベース切替部１１４及び通信制御部１１７に送られる。データベース切替部１１４で、受け取ったサービスコードに基づいて１つ又は複数の入力支援用ＤＢに切り替えると、キャラクタ入力部１１５で切り替えられた入力支援用ＤＢを利用してキャラクタ情報が入力され、通信制御部１１７に送られる。そして、通信制御部１１７により、第１又は第２の発信番号で通信制御装置１２０に発信要求が送られた後、サービスコード及びキャラクタ情報が通信制御部１１７に送られる。
【００４２】
次に、本実施の形態に係る通信制御装置１２０について説明する。本実施の形態に係る通信制御装置１２０は、図５に示す通信制御装置１２０と比べて、番号情報ＤＢ１２３内に記憶されるデータ内容が異なるものである。具体的には、図１０に示すように、通信制御装置１２０に接続した携帯電話機７００の端末識別番号となる発信番号（接続用発信番号）に対して、サービスコード及び発信番号（利用発信番号）が対応付けられている。発信番号制御部１２２は、接続用発信番号とサービスコードとの組み合わせに基づいて、利用発信番号を当該サービスコードに対応する第１又は第２の発信番号に切り替え、送信部１２５に発信番号（利用発信番号）情報を送る。
【００４３】
次に、図１１を用いて、本実施の形態に係る通信制御システム１００の通信制御処理について説明する。図１１は、通信制御システム１００の通信制御処理を示すフロー図である。ここでは、第１の発信番号（090-1234-5678）を接続用発信番号とし、図８に示す第４モードを選択した場合を例に説明する。なお、図６に示すフローと同一の処理については同一の符号を付して説明を省略する。
【００４４】
まず、携帯電話機７００では、複数のモードの中から所望のモード（第４モード）を決め、そのモードに対応するサービスコード「Ｄ」を入力する（ステップＳＴ１１０１）。サービスコードが入力されると、入力されたサービスコードに対応して入力支援用ＤＢが切り替えられ（ステップＳＴ１１０２）、この入力支援用ＤＢを利用して、キャラクタの入力処理が行われる（ステップＳＴ６０３）。ここでは、第４モードに対応するサービスコード「Ｄ」が入力されると、入力支援用ＤＢがサービスコード「Ｄ」に対応する第２及び共通ＤＢ１１３，７０２に切り替えられ、第２及び共通ＤＢ１１３，７０２を利用してキャラクタの入力処理が可能になり、ショートメッセージ等が作成される。
【００４５】
キャラクタの入力処理が終わると、携帯電話機７００から第１の発信番号により通信制御装置１２０に接続要求が送られ（ステップＳＴ６０４）、通信制御装置１２０で接続処理及び在圏確認処理が行われる（ステップＳＴ６０５）。通信制御装置１２０からの接続処理応答を受けると、ステップＳＴ６０１で入力したサービスコードが通信制御装置１２０に送られ（ステップＳＴ１１０３）、通信制御装置１２０でサービスコードが受信され（ステップＳＴ１１０４）、利用発信番号をサービスコードに対応する発信番号に切り替える（ステップＳＴ１１０５）。ここでは、利用発信番号が、サービスコード「Ｄ」に対応する第２の発信番号（090-1234-5679）に切り替えられる。次に、通信制御装置１２０からキャラクタ情報の送信指示を受けると、ステップＳ６０３で入力されたキャラクタ情報（ショートメッセージ等）が通信制御装置１２０に送られ（ステップＳＴ６０８）、通信制御装置１２０でキャラクタ情報が受信される（ステップＳＴ６０９）。そして、ネットワークを介して、発信番号情報（第２の発信番号情報）及びキャラクタ情報が通信網センタ１３０に送られる。
【００４６】
このように、本実施の形態では、入力されたモード情報に基づいて１つ又は複数の入力支援用データベースを切り替え、切り替えた入力支援用データベースを利用してキャラクタの入力処理を行うので、利用用途に応じて複数のモードを設定すれば、単一の携帯電話機７００において各モードに応じたキャラクタ入力処理を行うことができる。
【００４７】
なお、ショートメッセージの場合には、異なる発信メールアドレスを同一モードに対応する構成でもよいし、異なるモードにそれぞれ対応させる構成でもよい。例えば、２つのメールアドレス（第１メールアドレス：a@docomo.ne.jp、第２メールアドレス：b@docomo.ne.jp）が付与されている場合、第１及び第２メールアドレスを第１の発信番号に対応させてもよいし、各メールアドレスをそれぞれ第１及び第２の発信番号に対応させてもよい。
【００４８】
（変形例）
次に、本実施の形態の変形例に係る通信制御システムについて説明する。変形例に係る通信制御システムでは、例えば、通信網上に入力支援用ＤＢを提供するデータベース提供サーバが設けられ、通信制御装置において、入力支援用ＤＢを切り替えるものである。
【００４９】
図１２は、変型例に係る通信制御システムの通信制御処理を示すフロー図である。なお、図１２において、図６及び図１１と同一の処理には同一の符号を付し、その詳細な説明は省略する。図１２に示すように、携帯電話機でモードに対応するサービスコードが入力され（ステップＳＴ１１０１）、第１の発信番号により通信制御装置に接続要求が送られる（ステップＳＴ６０４）。通信制御装置で接続処理が行われると（ステップＳＴ６０５）、携帯電話機からサービスコードが通信制御装置に送られる（ステップＳＴ１１０３）。携帯電話機からサービスコードを受け取ると（ステップＳＴ１１０４）、利用発信番号をサービスコードに対応する発信番号に切り替え（ステップＳＴ１１０５）、受け取ったサービスコードに対応して１つ又は複数の入力支援用ＤＢに切り替えられる（ステップＳＴ１２０１）。そして、携帯電話機と通信制御装置との間で、この入力支援用ＤＢを利用して、キャラクタの入力処理が行われる（ステップＳＴ１２０２、ＳＴ１２０３）。そして、入力されたキャラクタ情報が通信制御装置に送られ（ステップＳＴ６０８）、通信制御装置でキャラクタ情報が受信される（ステップＳＴ６０９）。
【００５０】
このように、本変形例では、携帯電話機からのサービスコードの入力に基づいて、通信制御装置が入力支援用ＤＢを切り替え、この切り替えられた入力支援用ＤＢを利用してキャラクタ入力処理を行うので、利用用途に応じて複数のモードを設定すれば、単一の携帯電話機において各モードに応じたキャラクタ入力処理を行うことができる。本変形例では、携帯電話機と通信制御装置とがネットワーク接続された状態で、この入力支援用ＤＢと協働しながらキャラクタ入力処理が行われるので、特にＷｅｂメールの作成に有用である。なお、変形例では、入力されたサービスコードに基づいて入力支援用ＤＢを切り替えたが、上記第１の実施の形態のように第１又は第２の発信番号に基づいて入力支援用ＤＢを切り替えることも可能である。
【００５１】
また、本発明は上記実施の形態に限定されず、種々変更して実施することが可能である。例えば、本発明の範囲を逸脱しない限りにおいて、処理部や処理手順については適宜変更して実施することが可能である。その他、本発明の範囲を逸脱しないで適宜変更して実施することが可能である。
【産業上の利用可能性】
【００５２】
本発明は、複数の発信番号が付与された通信端末装置及びこの通信端末装置の発信番号を制御する通信制御装置並びにこれらを備えた通信制御システムに適用可能である。
【図面の簡単な説明】
【００５３】
【図１】本発明の第１の実施の形態に係る通信制御システムの概略構成を示す図である。
【図２】第１の実施の形態に係る携帯電話機を示す機能ブロック図である。
【図３】第１の発信番号及び第２の発信番号を説明するための図である。
【図４】第１及び第２の入力支援用ＤＢに格納されたデータの模式図である。
【図５】第１の実施の形態に係る通信制御装置を示す機能ブロック図である。
【図６】第１の実施の形態に係る通信制御システムの通信制御処理を示すフロー図である。
【図７】第２の実施の形態に係る携帯電話機を示す機能ブロック図である。
【図８】第１、第２及び共通の入力支援用ＤＢに格納されたデータの模式図である。
【図９】モードを説明するための図である。
【図１０】通信制御装置の番号情報ＤＢに格納された番号情報を示す図である。
【図１１】第２の実施の形態に係る通信制御システムの通信制御処理を示すフロー図である。
【図１２】変形例に係る通信制御システムの通信制御処理を示すフロー図である。
【符号の説明】
【００５４】
１００  通信制御システム
１１０  通信端末装置
１２０  通信制御装置
１３０  通信網センタ
１１１  発信番号入力部
１１２  第１の入力支援用ＤＢ
１１３  第２の入力支援用ＤＢ
１１４  データベース切替部
１１５  キャラクタ入力部
１１６  表示部
１１７  通信制御部
１２１  受信部
１２２  発信番号制御部
１２３  番号情報ＤＢ
１２４  キャラクタ情報格納部
１２５  送信部
７０１  モード入力部
７０２  共通の入力支援用ＤＢ
【図１】
2010141562.tif 000003
【図２】
2010141562.tif 000004
【図３】
2010141562.tif 000005
【図４】
2010141562.tif 000006
【図５】
2010141562.tif 000007
【図６】
2010141562.tif 000008
【図７】
2010141562.tif 000009
【図８】
2010141562.tif 000010
【図９】
2010141562.tif 000011
【図１０】
2010141562.tif 000012
【図１１】
2010141562.tif 000013
【図１２】
2010141562.tif 000014